(57)【特許請求の範囲】
【請求項１】
リチウムイオン電池を有する情報通信装置との間で情報を送受信し、前記情報通信装置の前記リチウムイオン電池の電圧を回復する必要があるか否かを判断するリチウムイオン電池状態判断装置において、
前記情報通信装置の前記リチウムイオン電池の電圧を回復するか否かを判断するためのリチウムイオン電池状態判断情報を受信すると、受信した前記リチウムイオン電池状態判断情報の受信状態を判断する受信状態判断手段、
判断した前記受信状態から、前記情報通信装置の前記リチウムイオン電池の電圧を回復する必要があるか否かを判断する電圧状態判断手段、
前記リチウムイオン電池の電圧を回復する必要があると判断すると、前記リチウムイオン電池の電圧を回復するよう指示するリチウムイオン電池回復指示情報を生成するリチウムイオン電池回復指示情報生成手段、を有し、
前記受信状態判断手段は、前記リチウムイオン電池状態判断情報の受信状態として、前記リチウムイオン電池状態判断情報に対する受信感度を用い、
前記電圧状態判断手段は、前記情報通信装置が有する前記リチウムイオン電池の電圧を回復する必要があるか否かを判断するにあたり、前記情報通信装置から前記リチウムイオン電池状態判断情報を受信し、前記リチウムイオン電池状態判断情報の受信状態から前記情報通信装置の前記リチウムイオン電池の電圧を回復する必要があるか否かを判断するリチウムイオン電池電圧判断装置から取得した前記情報通信装置に関する前記受信状態、及び、自らが判断した前記情報通信装置に関する前記受信状態を用いること、
を特徴とするリチウムイオン電池状態判断装置。
【請求項２】
請求項１に係るリチウムイオン電池状態判断装置において、
前記電圧状態判断手段は、
自らが判断した前記情報通信装置に関する前記受信感度が基準とする受信感度よりも低く、かつ、前記リチウムイオン電池電圧判断装置から取得した前記情報通信装置に関する前記受信感度が基準とする受信感度よりも低い場合に、前記リチウムイオン電池の電圧を回復する必要があると判断すること、
を特徴とするリチウムイオン電池状態判断装置。
【発明の詳細な説明】
【技術分野】
【０００１】
本願は、リチウムイオン電池を有する情報送信装置を有する情報通信システムに関し、特に、リチウムイオン電池の電圧を回復するか否かを判断するものに関する。
【背景技術】
【０００２】
従来の二次電池の劣化防止と再生の技術について説明する。
【０００３】
例えば、図１３に示すように、不特定蓄電池劣化防止と再生装置の蓄電池２５の電圧はＡ／Ｄコンバータ２６で計られ、ＭＰＵ２１に入力される。ＭＰＵ２１は蓄電池２５の開放電圧が設定値以下を検出した場合は蓄電池再生モードに入り、誘電損周波数掃引オシレータ２７から高周波電流を発生し、高周波電力増幅器２８で増幅して、直流遮断コンデンサー２９を通して、蓄電池２５に誘電損加熱交流電流を流す。
【０００４】
これにより、不特定原理二次蓄電池の再充電を阻む電極の電気化学的不活性絶縁体結晶膜が選択され、熱機械的に微細分解されるので、半永久的に不特定原理二次蓄電池の充放電劣化を防止しかつ再生することが可能となる（以上、特許文献１参照）。
【先行技術文献】
【特許文献】
【０００５】
【特許文献１】国際公開ＷＯ２０１３１１８３１０号公報
【発明の概要】
【発明が解決しようとする課題】
【０００６】
前述の不特定蓄電池劣化防止と再生装置には、以下に示すような改善すべき点がある。不特定蓄電池劣化防止と再生装置は、蓄電池２５の状態を、Ａ／Ｄコンバータ２６で計測した電圧を用いて判断している。このため、Ａ／Ｄコンバータ２６使用時において電力消費が発生する。例えば、上記技術を蓄電池で駆動する無線装置に適用した場合、蓄電池の結晶膜を分解する都度、無線装置自体に電力消費が発生し、電池寿命が極端に短くなるおそれがある。
【０００７】
そこで、本願は、リチウムイオン電池を有する情報送信装置のリチウムイオン電池の電圧を回復するか否かを判断するリチウムイオン電池状態判断システムを提供することを目的とする。
【発明の効果】
【０００８】
本願における課題を解決するための手段及び効果を以下に示す。
【０００９】
以下に開示するリチウムイオン電池状態判断システムは、情報通信装置とリチウムイオン電池状態判断装置との間で情報を送受信するリチウムイオン電池状態判断システムにおいて、前記情報通信装置は、情報を送受信する第１送受信手段、前記送受信手段に電力を供給するリチウムイオン電池、前記リチウムイオン電池の電圧を回復するか否かを判断するためのリチウムイオン電池状態判断情報を生成するリチウムイオン電池状態判断情報生成手段、前記リチウムイオン電池の電圧を回復するよう指示するリチウムイオン電池回復指示情報を受信すると、前記リチウムイオン電池から所定の電流を流すことにより、リチウムイオン電池に形成された被膜を除去するリチウムイオン電池回復手段、を有し、前記リチウムイオン電池状態判断装置は、情報を送受信する第２送受信手段、前記リチウムイオン電池状態判断情報を受信すると、受信した前記リチウムイオン電池状態判断情報の受信状態を判断する受信状態判断手段、判断した前記受信状態から、前記リチウムイオン電池の電圧を回復する必要があるか否かを判断する電圧状態判断手段、前記リチウムイオン電池の電圧を回復する必要があると判断すると、前記リチウムイオン電池回復指示情報を生成するリチウムイオン電池回復指示情報生成手段、を有する。
【００１０】
これにより、情報通信装置のリチウムイオン電池の電圧を回復するか否かの判断を、情報通信装置から送信されるリチウムイオン電池状態判断情報の受信状態を用いて容易に判断できる。
【００１１】
以下に開示するリチウムイオン電池状態判断装置は、リチウムイオン電池を有する情報通信装置との間で情報を送受信し、前記情報通信装置の前記リチウムイオン電池の電圧を回復する必要があるか否かを判断する前記リチウムイオン電池状態判断装置において、前記情報通信装置の前記リチウムイオン電池の電圧を回復するか否かを判断するためのリチウムイオン電池状態判断情報の受信状態から、前記情報通信装置の前記リチウムイオン電池の電圧を回復する必要があるか否かを判断する電圧状態判断手段、前記リチウムイオン電池の電圧を回復する必要があると判断すると、前記リチウムイオン電池の電圧を回復するよう指示するリチウムイオン電池回復指示情報を生成するリチウムイオン電池回復指示情報生成手段、を有する。
【００１２】
これにより、情報通信装置のリチウムイオン電池の電圧を回復するか否かの判断を、情報通信装置から送信されるリチウムイオン電池状態判断情報の受信状態を用いて容易に判断できる。
【００１３】
以下に開示するリチウムイオン電池状態判断装置では、前記受信状態判断手段は、前記リチウムイオン電池状態判断情報の受信状態として、前記リチウムイオン電池状態判断情報に対する受信感度を用いること、を特徴とする。
【００１４】
これにより、受信感度を計測するだけで、容易に情報通信装置のリチウムイオン電池の電圧を回復するか否かを判断できる。
【００１５】
以下に開示するリチウムイオン電池状態判断装置では、前記受信状態判断手段は、前記受信感度として、ビット・エラー・レート、フレーム・エラー・レート、又は、パケット・エラー・レートを用いること、を特徴とする。
【００１６】
これにより、ビット・エラー・レート、フレーム・エラー・レート、又は、パケット・エラー・レートを計測するだけで、容易に情報通信装置のリチウムイオン電池の電圧を回復するか否かを判断できる。
【００１７】
以下に開示するリチウムイオン電池状態判断装置では、前記受信状態判断手段は、前記受信感度として、信号雑音比を用いること、を特徴とする。
【００１８】
これにより、信号雑音比を計測するだけで、容易に情報通信装置のリチウムイオン電池の電圧を回復するか否かを判断できる。
【００１９】
以下に開示するリチウムイオン電池状態判断装置では、前記電圧状態判断手段は、前記情報通信装置が有する前記リチウムイオン電池の電圧を回復する必要があるか否かを判断するにあたり、前記情報通信装置から前記リチウムイオン電池状態判断情報を受信し、前記リチウムイオン電池状態判断情報の受信状態から前記情報通信装置の前記リチウムイオン電池の電圧を回復する必要があるか否かを判断するリチウムイオン電池電圧判断装置から取得した前記情報通信装置に関する前記受信状態、及び、自らが判断した前記情報通信装置に関する前記受信状態を用いること、を特徴とする。
【００２０】
これにより、情報通信装置に関して、自身が判断する受信状態、及び、リチウムイオン電池電圧判断装置が判断する受信状態を用いて、情報通信装置のリチウムイオン電池の電圧を回復するか否かを判断できる。よって、情報通信装置のリチウムイオン電池の電圧を回復するか否かを判断するにあたって、情報通信装置において生じた一時的な通信状態悪化要因による誤判断を防止することができる
【００２１】
以下に開示するリチウムイオン電池状態判断装置では、前記電圧状態判断手段は、自らが判断した前記情報通信装置に関する前記受信感度が基準とする受信感度よりも低く、かつ、前記リチウムイオン電池電圧判断装置から取得した前記情報通信装置に関する前記受信感度が基準とする受信感度よりも低い場合に、前記リチウムイオン電池の電圧を回復する必要があると判断すること、を特徴とする。
【００２２】
これにより、情報通信装置に関して、自身が判断する受信状態、及び、リチウムイオン電池電圧判断装置が判断する受信感度を用いて、情報通信装置のリチウムイオン電池の電圧を回復するか否かを判断できる。よって、情報通信装置のリチウムイオン電池の電圧を回復するか否かを判断するにあたって、情報通信装置において生じた一時的な通信状態悪化要因による誤判断を容易に防止することができる
【００２３】
以下に開示するリチウムイオン電池状態判断プログラムは、コンピュータを、リチウムイオン電池を有する情報通信装置との間で情報を送受信し、前記リチウムイオン電池の電圧を回復する必要があるか否かを判断するリチウムイオン電池状態判断装置として機能させるリチウムイオン電池状態判断プログラムであって、前記コンピュータを、前記情報通信装置の前記リチウムイオン電池の電圧を回復するか否かを判断するためのリチウムイオン電池状態判断情報の受信状態から、前記情報通信装置の前記リチウムイオン電池の電圧を回復する必要があるか否かを判断する電圧状態判断手段、前記リチウムイオン電池の電圧を回復する必要があると判断すると、前記リチウムイオン電池の電圧を回復するよう指示するリチウムイオン電池回復指示情報を生成するリチウムイオン電池回復指示情報生成手段、として機能させる。
【００２４】
これにより、情報通信装置のリチウムイオン電池の電圧を回復するか否かの判断を、情報通信装置から送信されるリチウムイオン電池状態判断情報の受信状態を用いて容易に判断できる。
【００２５】
ここで、特許請求の範囲における構成要素と、実施例における構成要素との対応関係を示す。特許請求の範囲における「リチウムイオン電池状態判断システム」は、実施例における「情報通信システム１００、２００」に対応する。また、特許請求の範囲における「情報通信装置」は、実施例における「情報送信装置１１０」に対応する。また、特許請求の範囲における「リチウムイオン電池状態判断装置」は、実施例における「情報受信装置１２０、２２０、３２０」に対応する。さらに、特許請求の範囲における「リチウムイオン電池電圧判断装置」は、実施例における「情報受信装置２２０」に対応する。
【００２６】
また、特許請求の範囲における「第１送受信手段」は、実施例における「ステップＳ６０５、Ｓ６１１の処理（図６参照）を実行するＣＰＵ１１０ａ」、「メモリ１１０ｂ」、「無線通信回路１１０ｈ」に、特許請求の範囲における「リチウムイオン電池」は実施例における「リチウムイオン電池１１０ｃ」に、特許請求の範囲における「リチウムイオン電池状態判断情報生成手段」は実施例における「ステップＳ６０３の処理（図６参照）を実行するＣＰＵ１１０ａ」、「メモリ１１０ｂ」、に、特許請求の範囲における「リチウムイオン電池回復手段」は実施例における「ステップＳ６１３の処理（図６参照）を実行するＣＰＵ１１０ａ」、「メモリ１１０ｂ」、「電源制御回路１１０ｄ」に、それぞれに対応する。また、特許請求の範囲における「第２送受信手段」は実施例における「ステップＳ７０１、Ｓ７１１の処理（図７参照）を実行するＣＰＵ１２０ａ」、「メモリ１２０ｂ」、「無線通信回路１２０ｈ」、及び、「ステップＳ７０１、Ｓ１１０１の処理（図１１参照）を実行するＣＰＵ２２０ａ」、「メモリ２２０ｂ」、「無線通信回路２２０ｈ」、「ステップＳ７０１、Ｓ１２０１、Ｓ７１１の処理（図１２参照）を実行するＣＰＵ３２０ａ」、「メモリ３２０ｂ」、「無線通信回路３２０ｈ」に、特許請求の範囲における「受信状態判断手段」は実施例における「ステップＳ７０３、Ｓ７０５の処理（図７参照）を実行するＣＰＵ１２０ａ」、「メモリ１２０ｂ」、及び、「ステップＳ７０３、Ｓ７０５の処理（図１１参照）を実行するＣＰＵ２２０ａ」、「メモリ２２０ｂ」に、特許請求の範囲における「電圧状態判断手段」は実施例における「ステップＳ７０７、Ｓ７０９の処理（図７参照）を実行するＣＰＵ１２０ａ」、「メモリ１２０ｂ」、及び、「ステップＳ７０７〜Ｓ１２０５の処理（図１２参照）を実行するＣＰＵ３２０ａ」、「メモリ３２０ｂ」に、特許請求の範囲における「リチウムイオン電池回復指示情報生成手段」は実施例における「ステップＳ７１１の処理（図７参照）を実行するＣＰＵ１２０ａ」、「メモリ１２０ｂ」、及び、「ステップＳ７１１の処理（図１２参照）を実行するＣＰＵ３２０ａ」、「メモリ３２０ｂ」に、それぞれ対応する。
【図面の簡単な説明】
【００２７】
【図１】情報通信システムの一実施例である情報通信システム１００の構成を示す図である。
【図２】情報送信装置１１０のハードウェア構成を示す図である。
【図３】情報受信装置１２０のハードウェア構成を示す図である。
【図４】送信状態情報ＤＢのデータ構造を示す図である。
【図５】情報送信装置１１０におけるリチウムイオン電池１１０ｃの供給電圧と、無線通信回路１１０ｊにおける消費電流との関係を説明する図であり、Ａは無線通信回路１１０ｊにおける消費電流を、Ｂは情報送信装置１１０におけるリチウムイオン電池１１０ｃの供給電圧を、それぞれ示す。
【図６】情報送信装置１１０の動作を示すフローチャートである。
【図７】情報受信装置１２０の動作を示すフローチャートである。
【図８】情報通信システムの一実施例である情報通信システム２００の構成を示す図である。
【図９】情報受信装置２２０のハードウェア構成を示す図である。
【図１０】情報受信装置３２０のハードウェア構成を示す図である。
【図１１】情報受信装置２２０の動作を示すフローチャートである。
【図１２】情報受信装置３２０の動作を示すフローチャートである。
【図１３】従来の情報通信システムを示す図である。
【発明を実施するための形態】
【００２８】
以下、本願の実施例について、図面を参照しながら詳細に説明していく。本願の情報通信システムの一実施例である情報通信システム１００について説明する。
【実施例１】
【００２９】
第１  情報通信システム１００のハードウェア構成
情報通信システム１００について、図１を用いて説明する。情報通信システム１００は、所定の情報を、無線通信を用いて、送受信するシステムである。情報通信システム１００は、情報送信装置１１０、及び、情報受信装置１２０を有している。
【００３０】
情報受信装置１２０は、所定の情報を情報送信装置１１０から取得する。情報送信装置１１０は、所定の情報を情報受信装置１２０に提供する。情報送信装置１１０は、リチウムイオン電池を電源として動作する。
【００３１】
第２  情報送信装置１１０のハードウェア構成
情報送信装置１１０のハードウェア構成について図２を用いて説明する。
【００３２】
図２に示すように、情報送信装置１１０は、ＣＰＵ１１０ａ、メモリ１１０ｂ、リチウムイオン電池１１０ｃ、電源制御回路１１０ｄ、及び、無線通信回路１１０ｈを有している。
【００３３】
ＣＰＵ１１０ａは、メモリ１１０ｂに記録されているオペレーティング・システム（ＯＳ）、リチウムイオン電池状態判断プログラム等その他のアプリケーションに基づいた処理を行う。メモリ１１０ｂは、ＣＰＵ１１０ａに対して作業領域を提供する。また、メモリ１１０ｂは、オペレーティング・システム（ＯＳ）、リチウムイオン電池状態判断プログラム等、アプリケーションのプログラム等の各種データ（例えば、情報送信装置ＩＤ（後述））を記録保持する。
【００３４】
リチウムイオン電池１１０ｃは、情報送信装置１１０の各構成要素に供給する電力を蓄積している。電源制御回路１１０ｄは、リチウムイオン電池１１０ｃが有する電力を、情報送信装置１１０の各構成要素に提供する。無線通信回路１１０ｈは、無線通信によって、情報受信装置１２０等の外部の通信機器とのデータの送受信を行う。
【００３５】
第３  情報受信装置１２０のハードウェア構成
情報受信装置１２０のハードウェア構成について図３を用いて説明する。図３に示すように、情報受信装置１２０は、ＣＰＵ１２０ａ、メモリ１２０ｂ、所定の電源１２０ｃ、電源制御回路１２０ｄ、及び、無線通信回路１２０ｈを有している。
【００３６】
ＣＰＵ１２０ａは、メモリ１２０ｂに記録されているオペレーティング・システム（ＯＳ）、リチウムイオン電池状態判断プログラム等その他のアプリケーションに基づいた処理を行う。メモリ１２０ｂは、ＣＰＵ１２０ａに対して作業領域を提供する。また、メモリ１１０ｂは、オペレーティング・システム（ＯＳ）、リチウムイオン電池状態判断プログラム等その他のアプリケーションのプログラムや、送信状態情報ＤＢ等の各種データを記録保持する。
【００３７】
電源１２０ｃは、情報受信装置１２０の各構成要素に供給する電力を蓄積している。電源制御回路１２０ｄは、電源１２０ｃが有する電力を、情報受信装置１２０の各構成要素に提供する。無線通信回路１２０ｈは、無線通信によって、情報送信装置１１０等の外部の通信機器とのデータの送受信を行う。
【００３８】
第５  データ
情報通信システム１００で用いる送信状態情報ＤＢについて、図４を用いて説明する。送信状態情報は、各情報送信装置１１０におけるＰＥＲ（Packet Error Rate）の経時変化を記録した情報である。
【００３９】
送信状態情報ＤＢは、情報送信装置ＩＤ記述領域、情報受信時刻記述領域、及び、ＰＥＲ記述領域を有している。情報通信装置ＩＤ記述領域には、情報通信装置を一意に特定するＩＤが記述される。情報受信時刻記述領域には、状態判断パターン情報を取得した時刻が記述される。ＰＥＲ記述領域には、無線通信回路１１０ｈの待機状態を終了する通信待機終了時刻が記述される。なお、状態判断パターン情報を受信時点で算出したＰＥＲ（Packet Error Rate）が記述される。
【００４０】
第４  情報通信システム１００の動作
１．概要
情報送信装置１１０におけるリチウムイオン電池１１０ｃの供給電圧と、無線通信回路１１０ｈにおける消費電流との関係について、図５を用いて簡単に説明する。
【００４１】
リチウムイオン電池１１０ｃから無線通信回路１１０ｈに電力を供給する場合、図５Ａに示すように、無線通信回路１１０ｈの通信状態に応じて消費電流が変化する。無線通信回路１１０ｈが情報を送信する送信状態ある場合に、最も大きな消費電流を必要とする。これは、無線通信回路１１０ｈにおける送信処理には大きな電力を必要とするからである。同様に、無線通信回路１１０ｈが他の通信装置から情報を受信する受信状態にある場合、無線通信回路１１０ｈからの送信準備のための起動状態にある場合にも、所定の消費電流が必要となる。なお、無線通信回路１１０ｈが起動状態にある場合、受信状態ある場合、送信状態にある場合の順で、消費電流が大きくなる。
【００４２】
前述の無線通信回路１１０ｈにおける消費電流に応じて、図５Ｂに示すように、リチウムイオン電池１１０ｃの電圧が変化する。無線通信回路１１０ｈが送信状態となる場合に、そのときのリチウムイオン電池１１０ｃの電圧Ｖから、最も大きな電圧降下Ｖｄ１を生ずる。同様に、無線通信回路１１０ｈが受信状態となる場合、無線通信回路１１０ｈが起動状態となる場合にも、所定の電圧降下Ｖｄ２、Ｖｄ３が生ずる。なお、無線通信回路１１０ｈが起動状態となる場合、受信状態となる場合、送信状態となる場合の順で、大きな電圧降下が生ずる。
【００４３】
リチウムイオン電池１１０ｃは、充放電の繰り返しにより、所定位置に被膜が形成される。この被膜のために、リチウムイオン電池１１０ｃの電圧Ｖが降下する。したがって、リチウムイオン電池１１０ｃの電圧Ｖがある電圧Ｖｍｉｎ１より低下すると、本来、安定した送信に必要な電力を無線通信回路１１０ｈに供給できず、結果として、無線通信回路１１０ｈからの送信距離が短くなる等、送信が不安定となる。
【００４４】
同様に、リチウムイオン電池１１０ｃの電圧Ｖがある電圧Ｖｍｉｎ２より低下すると、受信が不安定となり、また、リチウムイオン電池１１０ｃの電圧Ｖがある電圧Ｖｍｉｎ３より低下すると、無線通信回路１１０ｈをうまく待機状態とできない、といった不具合が生ずる。
【００４５】
このように、リチウムイオン電池１１０ｃの電圧Ｖの低下によって生ずる問題は、無線通信回路１１０ｈが送信状態となる場合に最初に現れる。よって、無線通信回路１１０ｈを介した送信状態を判断することによって、リチウムイオン電池１１０ｃの被膜形成状態を判断することができる。
【００４６】
無線通信回路１１０ｈを介した送信状態の判断には、情報送信装置１１０が無線通信回路１１０ｈを介して送信した情報に対して、情報受信装置１２０に適切に到達しているか否か、つまり、情報受信装置１２０が適切に受信できているか否かを示すＰＥＲ（Packet Error Rate）を用いる。ＰＥＲが、所定の値より大きくなれば、リチウムイオン電池１１０ｃの電圧Ｖが低下していると判断する。
【００４７】
なお、リチウムイオン電池１１０ｃに形成された被膜による電圧降下については、リチウムイオン電池１１０ｃから所定の電流を所定期間流すこと、つまり、リチウムイオン電池１１０ｃを放電させることによって改善することができる。よって、情報受信装置１２０においてＰＥＲが低下していると判断した場合、情報受信装置１２０から情報送信装置１１０に対して、リチウムイオン電池１１０ｃを放電させる放電処理、具体的には、無線通信回路１１０ｈを所定時間だけ通信状態、例えば、送信状態、及び／又は、受信状態とする処理を実行するようにさせる。
【００４８】
２．情報通信システム１００の動作
以下において、情報通信システム１００の動作について、図６、図７に示すフローチャートを用いて説明する。図６に示すように、情報送信装置１１０のＣＰＵ１１０ａは、リチウムイオン状態判断時間になったと判断すると（Ｓ６０１）、リチウムイオン電池の状態を判断するための所定のパターン信号を含むリチウムイオン電池状態判断パターン情報を生成する（Ｓ６０３）。ＣＰＵ１１０ａは、生成したリチウムイオン電池状態判断パターン情報を、情報受信装置１２０に対して、送信する（Ｓ６０５）。
【００４９】
図７に示すように、情報受信装置１２０のＣＰＵ１２０ａは、リチウムイオン電池状態判断パターン情報を取得すると（Ｓ７０１）、ＰＥＲ（Packet Error Rate）を計測する（Ｓ７０３）。ＣＰＵ１２０ａは、計測したＰＥＲを、対応するリチウムイオン電池状態判断パターン情報を送信した情報送信装置、具体的には、情報送信装置１１０の情報送信装置ＩＤと、リチウムイオン電池状態判断パターン情報の取得時刻とを関連付けて、送信状態情報ＤＢ（図５参照）に記述し、メモリ１２０ｂに記憶保持する（Ｓ７０５）。ＣＰＵ１２０ａは、送信状態情報ＤＢを取得し、リチウムイオン電池１１０ｃの電圧を回復するか否かの判断の対象となる情報送信装置１１０を対象情報送信装置として、所定期間のＰＥＲの経時変化を判断する（Ｓ７０７）。ＣＰＵ１２０ａは、計測したＰＥＲが基準ＰＥＲより大きい期間が所定期間以上続いていると判断すると（Ｓ７０９）、対象情報送信装置に対して、リチウムイオン電池回復情報を送信する（Ｓ７１１）。
【００５０】
図６に示すように、対象情報送信装置である情報送信装置１１０のＣＰＵ１１０ａは、リチウムイオン電池回復情報を取得すると（Ｓ６１１）、所定時間、無線通信回路１１０ｈを送信状態とする放電処理を実行する（Ｓ６１３）。リチウムイオン電池１１０ｃから所定の電流を流すことができる。これにより、リチウムイオン電池１１０ｃに形成されている被膜を除去することができる。
【実施例２】
【００５１】
前述の実施例１における情報通信システム１００では、ある情報送信装置１１０におけるリチウムイオン電池１１０ｃの状態を、その情報送信装置１１０から送信される情報に基づくＰＥＲのみを用いて判断した。この場合、情報送信装置１１０の前に障害物が存在する等、一時的な要因により、情報送信装置１１０の送信状態が悪化している場合でも、リチウムイオン電池１１０ｃの状態が悪いと判断される可能性がある。そこで、本実施例における情報通信システム２００では、複数の情報受信装置２２０、３２０について送信状態を判断して、ある一の情報送信装置１１０におけるリチウムイオン電池１１０ｃの状態を判断する。なお、以下においては、実施例１と同様の構成については、同様の符号を付すと共に、詳細な説明を省略する。
【００５２】
第１  情報通信システム２００のハードウェア構成
情報通信システム２００について、図８を用いて説明する。情報通信システム２００は、所定の情報を、無線通信を用いて、送受信するシステムである。情報通信システム２００は、情報送信装置１１０、情報受信装置２２０、及び、情報受信装置３２０を有している。
【００５３】
第２  情報受信装置２２０のハードウェア構成
情報受信装置２２０のハードウェア構成について図９を用いて説明する。図９に示すように、情報受信装置２２０は、ＣＰＵ２２０ａ、メモリ２２０ｂ、所定の電源２２０ｃ、電源制御回路２２０ｄ、及び、無線通信回路２２０ｈを有している。なお、情報受信装置２２０の各ハードウェア構成については、実施例１における情報受信装置１２０の各ハードウェア構成と同様のため、詳細な説明を省略する。
【００５４】
第３  情報受信装置３２０のハードウェア構成
情報受信装置３２０のハードウェア構成について図１０を用いて説明する。図１０に示すように、情報受信装置３２０は、ＣＰＵ３２０ａ、メモリ３２０ｂ、所定の電源３２０ｃ、電源制御回路３２０ｄ、及び、無線通信回路３２０ｈを有している。なお、情報受信装置２２０の各ハードウェア構成については、実施例１における情報受信装置１２０の各ハードウェア構成と同様のため、詳細な説明を省略する。
【００５５】
第４  情報受信装置２２０の動作
図１１に示すように、情報受信装置２２０のＣＰＵ２２０ａは、リチウムイオン電池状態判断パターン情報を取得すると（Ｓ７０１）、ＰＥＲ（Packet Error Rate）を計測する（Ｓ７０３）。ＣＰＵ２２０ａは、計測したＰＥＲを、対応するリチウムイオン電池状態判断パターン情報を送信した情報送信装置、具体的には、情報送信装置１１０の情報送信装置ＩＤと、リチウムイオン電池状態判断パターン情報の取得時刻とを関連付けて、送信状態情報ＤＢに記述し、メモリ２２０ｂに記憶保持する（Ｓ７０５）。ＣＰＵ２２０ａは、所定時刻に送信状態情報ＤＢを、情報受信装置３２０に送信する（Ｓ１１０１）。
【００５６】
第５  情報受信装置３２０の動作
図１２に示すように、情報受信装置３２０のＣＰＵ３２０ａは、リチウムイオン電池状態判断パターン情報を取得すると（Ｓ７０１）、ＰＥＲ（Packet Error Rate）を計測する（Ｓ７０３）。ＣＰＵ３２０ａは、計測したＰＥＲを、対応するリチウムイオン電池状態判断パターン情報を送信した情報送信装置、具体的には、情報送信装置１１０の情報送信装置ＩＤと、リチウムイオン電池状態判断パターン情報の取得時刻とを関連付けて、送信状態情報ＤＢに記述し、メモリ２２０ｂに記憶保持する（Ｓ７０５）。ＣＰＵ３２０ａは、他の情報受信装置２２０から送信状態情報ＤＢを取得すると、取得送信状態情報ＤＢとして、メモリ３２０ｂに記憶保持する（Ｓ１２０１）。
【００５７】
ＣＰＵ３２０ａは、ステップＳ７０５でＰＥＲを記述した送信状態情報ＤＢを取得し、リチウムイオン電池状態判断パターン情報を送信した情報送信装置を対象情報送信装置として、対象情報送信装置に関する所定期間のＰＥＲの経時変化を判断する（Ｓ７０７）。ＣＰＵ１２０ａは、計測したＰＥＲが基準ＰＥＲより大きい期間が所定期間以上続いていると判断すると（Ｓ７０９）、取得送信状態情報ＤＢから、対象情報送信装置に関する所定期間のＰＥＲの経時変化を判断する（Ｓ１００１）。ＣＰＵ２２０ａは、対象情報送信装置に関するＰＥＲが基準ＰＥＲより大きい期間が所定期間以上続いていると判断すると（Ｓ１００３）、情報送信装置１１０に対して、リチウムイオン電池回復情報を送信する（Ｓ７１１）。
【００５８】
このように、対象情報送信装置１１０のリチウムイオン電池１１０ｃの状態を判断するにあたり、複数の情報受信装置２２０、３２０における受信状態を用いることによって、対象情報送信装置１１０における一時的な通信状態悪化要因による誤判断を防止することができる。なお、一時的な通信状態悪化要因としては、例えば、装置周辺への構造物の設置や、通信時における人・物の移動等が挙げられる。
【００５９】
［他の実施例］
（１）情報受信装置１２０、３２０：前述の実施例１においては、情報受信装置１２０は、リチウムイオン電池状態判断パターン情報を受信し、ＰＥＲを算出し、通信状態情報ＤＢを生成する処理（図７：Ｓ７０１〜Ｓ７０５）、及び、リチウムイオン電池の電圧を回復するか否かの判断処理（図７：Ｓ７０７〜Ｓ７１１）を実行するとしたが、前者の処理を実行する情報受信装置と、後者の処理を実行するリチウムイオン電池状態判断装置とに、分割するようにしてもよい。情報受信装置３２０についても、同様である。
【００６０】
（２）ＰＥＲ：前述の実施例１、実施例２においては、通信状態判断情報としてＰＥＲを用いるとしたが、情報送信装置１１０の通信状況を判断できるも受信感度に関するものであれば、例示のものに限定されない。例えば、ＢＥＲ（Bit Error Rate）や、ＦＥＲ（Frame Error Rate）であってもよい。
【００６１】
また、通信状態判断情報として、前記受信感度を示す信号雑音比を用いるようにしてもよい。
【００６２】
（３）放電処理：前述の実施例１、実施例２における放電処理において、これまでに実施してきた放電処理の内容や回数といった放電処理実施履歴に応じて、リチウムイオン電池１１０ｃを通信状態とする時間を調整するようにしてもよい。例えば、放電処理の実施回数が多くなるほど、段階的に通信状態とする時間を長くするようにしてもよい。
【００６３】
（４）放電処理：前述の実施例１、実施例２においては、リチウムイオン電池１１０ｃから所定の電流を流すために、無線通信回路１１０ｈを通信状態とすることとしたが、リチウムイオン電池１１０ｃから所定の電流を流すことができるものであれば、例示のものに限定されない。例えば、情報送信装置１１０のその他の構成要素に、リチウムイオン電池１１０ｃから所定の電流を流して、動作させるようにしてもよい。また、リチウムイオン電池１１０ｃを短絡することによって、所定の電流を流すようにしてもよい。
【００６４】
（５）各プログラムのフローチャート：前述の実施例１においては、図６、図７に示すフローチャートに従って、また、前述の実施例２においては、図１１、図１２に示すフローチャートに従って、各処理が実行されるとしたが、各処理の機能・目的を達成できるものであれば、例示のものに限定されない。
【００６５】
（６）各データの構造：前述の実施例１及び実施例２においては、図４に示すデータを用いて各処理が実行されるとしたが、各処理の機能・目的を達成できるものであれば、例示のものに限定されない。
【産業上の利用可能性】
【００６６】
本願に係るリチウムイオン電池状態判断システムは、例えば、蒸気プラントにおいてスチームトラップの作動状態を管理するトラップ作動状態管理システムに利用することができる。
【符号の説明】
【００６７】
１００      情報通信システム
１１０      情報送信装置
１１０ａ    ＣＰＵ
１１０ｂ    メモリ
１１０ｃ    リチウムイオン電池
１１０ｄ    電源制御回路
１１０ｈ    無線通信回路
１２０      情報受信装置
１２０ａ    ＣＰＵ
１２０ｂ    メモリ
１２０ｃ    電源
１２０ｄ    電源制御回路
１２０ｈ    無線通信回路
２００      情報通信システム
２２０      情報受信装置
３２０      情報受信装置
【図１】
0006406969.tif 000002
【図２】
0006406969.tif 000003
【図３】
0006406969.tif 000004
【図４】
0006406969.tif 000005
【図５】
0006406969.tif 000006
【図６】
0006406969.tif 000007
【図７】
0006406969.tif 000008
【図８】
0006406969.tif 000009
【図９】
0006406969.tif 000010
【図１０】
0006406969.tif 000011
【図１１】
0006406969.tif 000012
【図１２】
0006406969.tif 000013
【図１３】
0006406969.tif 000014